(57)【要約】【課題】ナビゲータデータの安定した解析結果を得ることにより、画質を向上させる【解決手段】プレスキャンとしてナビゲータシーケンスＮＳを実施し、強度プロファイルと位相プロファイルを生成する。そして、強度プロファイルに基づいて、位相プロファイルにおいて、部位の位置を検出する。そして、位相プロファイルにおける部位の位置に基づいて、位置プロファイルを生成する。位置プロファイルにおいて特定の位置にある部位を検出する。つぎに、本スキャンとしてナビゲータシーケンスＮＳとイメージングシーケンスＩＳを実施し、位相プロファイルを生成する。特定の位置にある部位の位置に基づいて位相プロファイルにおいて、部位の位置を検出し、位置プロファイルを生成する。そして、位置プロファイル及び特定の位置を基に、イメージングデータをローデータとして取得し、ローデータを基にスライス画像を生成する。【選択図】図３
2009254392.tif 000002
【特許請求の範囲】
【請求項１】
被検体において体動する部位を含むナビゲータ領域から磁気共鳴信号を第１ナビゲータデータとして得る第１ナビゲータシーケンスを繰り返し実施し、前記ナビゲータ領域から磁気共鳴信号を第２ナビゲータデータとして得る第２ナビゲータシーケンスと、前記第１ナビゲータデータに基づいて前記第２ナビゲータデータから得られる前記部位の位置に基づいて、前記被検体における撮影領域から磁気共鳴信号をイメージングデータとして得るイメージングシーケンスとを繰り返し実施して、前記イメージングデータをローデータとして取得した後、前記ローデータに基づいて画像を生成する磁気共鳴イメージング装置であって、
前記第１ナビゲータデータにおける位相プロファイルを、前記第１ナビゲータデータのそれぞれに対して第１位相プロファイルとして生成し、前記第１位相プロファイルのそれぞれについてそれぞれの前記部位の位置を検出し、複数の当該部位の位置と第１ナビゲータシーケンスを繰り返し実施した時間との関係を示す位置プロファイルを生成し、前記位置プロファイルにおける特定の位置を検出する第１ナビゲータデータ処理部と、
前記第２ナビゲータデータにおける位相プロファイルを前記第２ナビゲータデータのそれぞれに対して第２位相プロファイルとして生成し、前記特定の位置を含むように設定された基準範囲内において、前記第２位相プロファイルに基づいて、前記部位の位置を前記第２位相プロファイルのそれぞれに対して検出し、それぞれの位置データとして得る第２ナビゲータデータ処理部と、
前記位置データに基づいて、前記第２ナビゲータシーケンスに対応する前記イメージングシーケンスにより得られるイメージングデータをローデータとして取得するローデータ取得部とを含む
請求項１に記載の磁気共鳴イメージング装置。
【請求項２】
前記第１ナビゲータデータ処理部は、
前記第１ナビゲータデータの強度と前記ナビゲータ領域における位置との関係を示す強度プロファイルを前記第１ナビゲータデータのそれぞれについて生成する強度プロファイル生成部と、
前記部位の位置を前記強度プロファイルのそれぞれについて検出し、それぞれの第１位置データとして得る第１位置検出部と、
前記第１位置データに対応するデータを含むように第１基準範囲を前記強度プロファイルそれぞれに対して設定する第１基準範囲設定部と、
前記第１ナビゲータデータの位相と前記ナビゲータ領域における位置との関係を示す第１位相プロファイルを、前記第１ナビゲータデータのそれぞれに対して生成する第１位相プロファイル生成部と、
前記第１基準範囲のそれぞれの範囲内において、前記部位の位置を前記第１位相プロファイルのそれぞれについて検出し、それぞれの第２位置データとして得る第２位置検出部と、
前記複数の第２位置データに対応する位置それぞれと、前記第１ナビゲータシーケンスを繰り返し実施した時間との関係を示す第１位置プロファイルを生成する第１位置プロファイル生成部と、
前記第１位置プロファイルにおける特定の位置を検出する特定位置検出部と
を含み、
前記第２ナビゲータデータ処理部は、
前記第２ナビゲータデータの位相と前記ナビゲータ領域における位置との関係を示す第２位相プロファイルを、前記第２ナビゲータデータのそれぞれに対して生成する第２位相プロファイル生成部と、
前記特定位置検出部により検出された前記部位における特定の位置を含むように第２基準範囲を設定する第２基準範囲設定部と、
前記第２基準範囲内において、前記部位の位置を前記第２位相プロファイルのそれぞれについて検出し、それぞれの第３位置データとして得る第３位置検出部と、
前記複数の第３位置データに対応する位置それぞれと、前記第２ナビゲータシーケンスを繰り返し実施した時間との関係を示す第２位置プロファイルを生成する第２位置プロファイル生成部と
を含む
請求項１に記載の磁気共鳴イメージング装置。
【請求項３】
前記ローデータ取得部が、前記イメージングデータから、前記部位の特定の位置を含むように設定された第３基準範囲内にある前記第２位置データに対応する時間に取得されたイメージングデータをローデータとして選択する、
請求項２に記載の磁気共鳴イメージング装置。
【請求項４】
前記第２位置データが前記部位の特定の位置を含むように設定された第３基準範囲内にある場合に、イメージングシーケンスを実施してイメージングデータを取得する、
請求項２に記載の磁気共鳴イメージング装置。
【請求項５】
前記特定位置検出部が、前記第１位置プロファイルにおいて、位置を一定の幅で分割したそれぞれの領域に含まれる位置データの数が最も多い領域を前記部位の特定の位置として検出する、
請求項２から４のいずれかに記載の磁気共鳴イメージング装置。
【請求項６】
前記特定位置検出部が、前記第１位置プロファイルにおける位置データの最小値を前記部位における特定の位置として検出する、
請求項２から４のいずれかに記載の磁気共鳴イメージング装置。
【請求項７】
前記部位として横隔膜から前記第１ナビゲータデータ及び第２ナビゲータデータを得る、
請求項２から６のいずれかに記載の磁気共鳴イメージング装置。
【請求項８】
前記強度プロファイル生成部が、前記第１ナビゲータデータを１次元フーリエ変換することにより前記強度プロファイルを生成し、
前記第１位相プロファイル生成部が、前記第１ナビゲータデータを１次元フーリエ変換することにより前記第１位相プロファイルを生成し、
前記第２位相プロファイル生成部が、前記第２ナビゲータデータを１次元フーリエ変換することにより前記第２位相プロファイルを生成する、
請求項２から７のいずれかに記載の磁気共鳴イメージング装置。
【請求項９】
前記第１位置検出部が、微分法により前記第１位置データを得る、
請求項２から８のいずれかに記載の磁気共鳴イメージング装置。
【請求項１０】
前記第２位置検出部が、微分法により前記第２位置データを得る、
請求項２から９のいずれかに記載の磁気共鳴イメージング装置。
【請求項１１】
被検体において体動する部位を含むナビゲータ領域から磁気共鳴信号を第１ナビゲータデータとして得る第１ナビゲータシーケンスが繰り返し実施され、前記ナビゲータ領域から磁気共鳴信号を第２ナビゲータデータとして得る第２ナビゲータシーケンスと、前記第１ナビゲータデータに基づいて前記第２ナビゲータデータから得られる前記部位の位置に基づいて、前記被検体における撮影領域から磁気共鳴信号をイメージングデータとして得るイメージングシーケンスとが繰り返し実施され、前記イメージングデータがローデータとして取得された後、前記ローデータに基づいて画像を生成する画像生成方法であって、
前記第１ナビゲータデータにおける位相プロファイルを、前記第１ナビゲータデータのそれぞれに対して第１の位相プロファイルとして生成し、前記第１位相プロファイルのそれぞれについてそれぞれの前記部位の位置を検出し、複数の当該部位の位置と、第１ナビゲータシーケンスを繰り返し実施した時間との関係を示す位置プロファイルを生成し、前記位置プロファイルにおける特定の位置を検出する第１ステップと、
前記第２ナビゲータデータにおける位相プロファイルを前記第２ナビゲータデータのそれぞれに対して第２位相プロファイルとして生成し、前記特定の位置を含むように設定された基準範囲内において、前記第２位相プロファイルに基づいて、前記部位の位置を前記第２位相プロファイルのそれぞれに対して検出し、それぞれの位置データとして得る第２ステップと
前記第２ステップにおいて得られた前記位置データに基づいて、前記イメージングデータをローデータとして取得する第３ステップと
を有する、
画像生成方法。
【請求項１２】
前記第１ステップにおいては、
前記第１ナビゲータデータの強度と前記ナビゲータ領域における位置との関係を示す強度プロファイルを生成する第４ステップと、
前記部位の位置を前記第４ステップにおいて生成された前記強度プロファイルについて検出し、第１位置データとして得る第５ステップと、
前記第５ステップにおいて得られた前記第１位置データに対応するデータを含むように第１基準範囲を前記強度プロファイルに対して設定する第６ステップと、
前記第１ナビゲータデータの位相と前記ナビゲータ領域における位置との関係を示す第１位相プロファイルを生成する第７ステップと、
前記第６ステップにおいて設定された前記第１基準範囲内において、前記部位の位置を前記第７ステップにおいて生成された前記第１位相プロファイルについて検出し、第２位置データとして得る第８ステップと、
前記第４ステップから前記第８ステップを繰り返し実施することにより得られる複数の前記第２位置データと、前記第１ナビゲータシーケンスを繰り返し実施した時間との関係を示す第１位置プロファイルを生成する第９ステップと、
前記第９ステップにおいて生成された前記第１位置プロファイルにおける特定の位置を検出する第１０ステップと
を有し、
前記第２ステップにおいては、
前記第２ナビゲータデータの位相と前記ナビゲータ領域における位置との関係を示す第２位相プロファイルを生成する第１１ステップと、
前記第１０ステップにおいて検出された前記部位における特定の位置を含むように第２基準範囲を設定する第１２ステップと、
前記第１２ステップにおいて設定された前記第２基準範囲内において、前記部位の位置を前記第１１ステップにおいて生成された前記第２位相プロファイルについて検出し、第３位置データとして得る第１３ステップと、
前記第１１ステップから前記第１３ステップを繰り返し実施することにより得られる複数の前記第３位置データと、前記第２ナビゲータシーケンスを繰り返し実施した時間との関係を示す第２位置プロファイルを生成する第１４ステップと
を有する、
画像生成方法。
【請求項１３】
前記第１５ステップは、
前記イメージングデータから前記部位の特定の位置を含むように第３基準範囲を設定するステップと、
前記第３基準範囲内にある前記第２位置データに対応する時間に取得されたイメージングデータをローデータとして選択するステップとを含む、
請求項１２に記載の画像生成方法。
【請求項１４】
前記第１５ステップは、前記イメージングデータから、前記部位の特定の位置を含むように第３基準範囲を設定するステップを含み、
前記第２位置データが前記第３基準範囲内にある場合に、イメージングシーケンスを実施してイメージングデータを取得する、
請求項１２に記載の画像生方法。
【請求項１５】
前記第１０ステップにおいて、前記第１位置プロファイルにおける位置を一定の幅で分割したそれぞれの領域に含まれる前記位置のデータ数が最も多い領域を前記部位の特定の位置として検出する、
請求項１２から１４のいずれかに記載の画像生成方法。
【請求項１６】
前記第１０ステップにおいて、前記第１位置プロファイルにおける位置の最小値を前記部位における特定の位置として検出する、
請求項１２から１４のいずれかに記載の画像生成方法。
【請求項１７】
前記部位として横隔膜から前記第１ナビゲータデータ及び第２ナビゲータデータを得る、
請求項１２から１６のいずれかに記載の画像生成方法。
【請求項１８】
前記第４ステップにおいて、前記第２ナビゲータデータを１次元フーリエ変換することにより前記強度プロファイルを生成し、
前記第６ステップにおいて、前記第１ナビゲータデータを１次元フーリエ変換することにより前記第１位相プロファイルを生成し、
前記第９ステップにおいて、前記第２ナビゲータデータを１次元フーリエ変換することにより前記第２位相プロファイルを生成する、
請求項１２から１７のいずれかに記載の画像生成方法。
【請求項１９】
前記第５ステップにおいて、微分法により前記第１位置データを検出する、
請求項１２から１８のいずれかに記載の画像生成方法。
【請求項２０】
前記第７ステップにおいて、微分法により前記２位置データを検出する、
請求項１２から１９のいずれかに記載の画像生成方法。
【発明の詳細な説明】
【技術分野】
【０００１】
本発明は、磁気共鳴イメージング装置（ＭＲＩ：Ｍａｇｎｅｔｉｃ  Ｒｅｓｏｎａｎｃｅ  Ｉｍａｇｉｎｇ）及び画像生成方法に関し、特に静磁場空間内において被検体にＲＦパルス（ｐｕｌｓｅ）を送信し、被検体から磁気共鳴信号を収集するスキャン（ｓｃａｎ）を実施することによって、被検体についての画像を生成する磁気共鳴イメージング装置、及びスキャンを実施することによって得られる、被検体における部位の位置を検出し、画像を生成する画像生成方法に関するものである。
【背景技術】
【０００２】
磁気共鳴イメージング装置は、静磁場空間内の被検体に電磁波を照射することにより、その被検体内のプロトン（ｐｒｏｔｏｎ）のスピン（ｓｐｉｎ）を核磁気共鳴現象によって励起させ、その励起されたスピンにより発生する磁気共鳴信号を得るスキャンを実施する。そして、そのスキャンにより得られる磁気共鳴信号に基づいて、被検体の断層面についてスライス画像を生成する装置である。
【０００３】
この磁気共鳴イメージング装置を用いて被検体を撮影する際に被検体に体動が生じた場合には、生成したスライス（ｓｌｉｃｅ）画像に体動アーチファクト（ａｒｔｉｆａｃｔ）が発生する場合がある。たとえば、被検体の心臓や腹部を撮影する場合においては、呼吸運動や心拍運動などの体動によって、体動アーチファクトが発生し、画像の質が低下する。
【０００４】
そこで、この体動アーチファクトによる画像の低下の問題を解決する手法が提案されている。その一つの方法は、例えば、通常呼吸下での撮像において、横隔膜の位置の変化に合わせて、被検体の励起断面をリアルタイム（ｒｅａｌ  ｔｉｍｅ）で補正し、常に同一の断面から磁気共鳴信号を計測することにより体動アーチファクトによる画像の低下を防止する。また、取得したナビゲータエコー（ｎａｖｉｇａｔｏｒ  ｅｃｈｏ）を利用して、イメージングシーケンス（ｉｍａｇｉｎｇ  ｓｅｑｕｅｎｃｅ）を変更したり、イメージングデータを選択したりすることにより体動アーチファクトによる画像の質の低下を防止する（例えば、特許文献１、２参照）。
【０００５】
これらの技術に用いる横隔膜の位置検出の手法として、ナビゲータエコーを利用して横隔膜の動きを追跡し、得られたナビゲータデータを利用して呼吸同期、ゲーティング（ｇａｔｉｎｇ）を行う方法が知られている（例えば、特許文献３参照）。
【０００６】
例えば、ナビゲータデータの信号強度Ｉとナビゲータ領域における位置Ｘとの関係をプロット（ｐｌｏｔ）した信号強度プロファイル（ｐｒｏｆｉｌｅ）を生成し、生成した信号強度プロファイルにおいて、例えば、肝臓と肺臓の境界にある横隔膜の位置を算出し呼吸同期を行う。
【０００７】
この信号強度プロファイルにおいて、横隔膜の位置を算出する方法として、例えば微分法、またはＤｕ法（例えば、非特許文献１参照）などが知られている。
【０００８】
しかし、図１５のコロナル（ｃｏｒｏｎａｌ）画像に示すように、イメージングスキャン（ｉｍａｇｉｎｇ  ｓｃａｎ）を実施してイメージングデータ（ｉｍａｇｉｎｇ  ｄａｔａ）を取得するイメージング領域ＩＡがナビゲータデータの取得位置であるナビゲータ領域ＮＡと重なった結果、取得したナビゲータデータにスライス干渉による信号の乱れが発生し、図１６の破線部に示すように、信号強度プロファイル（ｐｒｏｆｉｌｅ）に低信号部位が発生する。ここで、図１６における破線部は、図１５におけるイメージング領域ＩＡとナビゲータ領域ＮＡとの重複部分における信号強度プロファイルを示す。そうすると、上記に示す従来のナビゲータデータの解析法で安定した解析結果を得ることは困難であった。
【０００９】
そこで、ナビゲータデータの位相情報を用いることにより、イメージングスキャンの干渉による信号乱れの発生を抑制する方法が考えられた。
【００１０】
【特許文献１】特開２００７−１１１１８８号公報（例えば、段落００４７から段落００５５参照。）
【特許文献２】特開２００７−９８０２６号公報（例えば、段落００５７から段落００６２参照。）
【特許文献３】特開平１０−２７７０１０号公報（例えば、段落０００２から段落０００６参照。）
【非特許文献１】JOURNAL OF CARDIOVASCULAR MAGNETIC RESONANCE, Vol.6,No.2、ｐｐ。483-490,2004
【発明の開示】
【発明が解決しようとする課題】
【００１１】
しかし、ナビゲータデータの位相情報を用いることにより、イメージングスキャンの干渉による信号乱れの発生は抑制することができるが、しかし、信号強度の低い部位では位相にばらつきが生じやすいため、安定してナビゲータデータの解析結果を得ることが難しく、画質の低下が発生するという問題があった。
【００１２】
したがって、本発明は、ナビゲータデータの安定した解析結果を得ることにより、画質を向上させることができる磁気イメージング装置、及び画質を向上させることができる画像生成方法を提供する。
【課題を解決するための手段】
【００１３】
本発明は、被検体において体動する部位を含むナビゲータ領域から磁気共鳴信号を第１ナビゲータデータとして得る第１ナビゲータシーケンスを繰り返し実施し、前記ナビゲータ領域から磁気共鳴信号を第２ナビゲータデータとして得る第２ナビゲータシーケンスと、前記第１ナビゲータデータに基づいて前記第２ナビゲータデータから得られる前記部位の位置に基づいて、前記被検体における撮影領域から磁気共鳴信号をイメージングデータとして得るイメージングシーケンスとを繰り返し実施して、前記イメージングデータをローデータとして取得した後、前記ローデータに基づいて画像を生成する磁気共鳴イメージング装置であって、前記第１ナビゲータデータにおける位相プロファイルを、前記第１ナビゲータデータのそれぞれに対して第１位相プロファイルとして生成し、前記第１位相プロファイルのそれぞれについてそれぞれの前記部位の位置を検出し、複数の当該部位の位置と第１ナビゲータシーケンスを繰り返し実施した時間との関係を示す位置プロファイルを生成し、前記位置プロファイルにおける特定の位置を検出する第１ナビゲータデータ処理部と、前記第２ナビゲータデータにおける位相プロファイルを前記第２ナビゲータデータのそれぞれに対して第２位相プロファイルとして生成し、前記特定の位置を含むように設定された基準範囲内において、前記第２位相プロファイルに基づいて、前記部位の位置を前記第２位相プロファイルのそれぞれに対して検出し、それぞれの位置データとして得る第２ナビゲータデータ処理部と、前記位置データに基づいて、前記第２ナビゲータシーケンスに対応する前記イメージングシーケンスにより得られるイメージングデータをローデータとして取得するローデータ取得部とを含む。
【００１４】
好適には、前記第１ナビゲータデータ処理部は、前記第１ナビゲータデータの強度と前記ナビゲータ領域における位置との関係を示す強度プロファイルを前記第１ナビゲータデータのそれぞれについて生成する強度プロファイル生成部と、前記部位の位置を前記強度プロファイルのそれぞれについて検出し、それぞれの第１位置データとして得る第１位置検出部と、前記第１位置データに対応するデータを含むように第１基準範囲を前記強度プロファイルそれぞれに対して設定する第１基準範囲設定部と、前記第１ナビゲータデータの位相と前記ナビゲータ領域における位置との関係を示す第１位相プロファイルを、前記第１ナビゲータデータのそれぞれに対して生成する第１位相プロファイル生成部と、前記第１基準範囲のそれぞれの範囲内において、前記部位の位置を前記第１位相プロファイルのそれぞれについて検出し、それぞれの第２位置データとして得る第２位置検出部と、前記複数の第２位置データに対応する位置それぞれと、前記第１ナビゲータシーケンスを繰り返し実施した時間との関係を示す第１位置プロファイルを生成する第１位置プロファイル生成部と、前記第１位置プロファイルにおける特定の位置を検出する特定位置検出部とを含み、前記第２ナビゲータデータ処理部は、前記第２ナビゲータデータの位相と前記ナビゲータ領域における位置との関係を示す第２位相プロファイルを、前記第２ナビゲータデータのそれぞれに対して生成する第２位相プロファイル生成部と、前記特定位置検出部により検出された前記部位における特定の位置を含むように第２基準範囲を設定する第２基準範囲設定部と、前記第２基準範囲内において、前記部位の位置を前記第２位相プロファイルのそれぞれについて検出し、それぞれの第３位置データとして得る第３位置検出部と、前記複数の第３位置データに対応する位置それぞれと、前記第２ナビゲータシーケンスを繰り返し実施した時間との関係を示す第２位置プロファイルを生成する第２位置プロファイル生成部とを含む。
【００１５】
好適には、前記ローデータ取得部が、前記イメージングデータから、前記部位の特定の位置を含むように設定された第３基準範囲内にある前記第２位置データに対応する時間に取得されたイメージングデータをローデータとして選択する。
【００１６】
好適には、前記第２位置データが前記部位の特定の位置を含むように設定された第３基準範囲内にある場合に、イメージングシーケンスを実施してイメージングデータを取得する。
【００１７】
好適には、前記特定位置検出部が、前記第１位置プロファイルにおいて、位置を一定の幅で分割したそれぞれの領域に含まれる位置データの数が最も多い領域を前記部位の特定の位置として検出する。
【００１８】
好適には、前記特定位置検出部が、前記第１位置プロファイルにおける位置データの最小値を前記部位における特定の位置として検出する。
【００１９】
好適には、前記部位として横隔膜から前記第１ナビゲータデータ及び第２ナビゲータデータを得る。
【００２０】
好適には、前記強度プロファイル生成部が、前記第１ナビゲータデータを１次元フーリエ変換することにより前記強度プロファイルを生成し、前記第１位相プロファイル生成部が、前記第１ナビゲータデータを１次元フーリエ変換することにより前記第１位相プロファイルを生成し、前記第２位相プロファイル生成部が、前記第２ナビゲータデータを１次元フーリエ変換することにより前記第２位相プロファイルを生成する。
【００２１】
好適には、前記第１位置検出部が、微分法により前記第１位置データを得る。
【００２２】
好適には、前記第２位置検出部が、微分法により前記第２位置データを得る。
【００２３】
本発明は、被検体において体動する部位を含むナビゲータ領域から磁気共鳴信号を第１ナビゲータデータとして得る第１ナビゲータシーケンスが繰り返し実施され、前記ナビゲータ領域から磁気共鳴信号を第２ナビゲータデータとして得る第２ナビゲータシーケンスと、前記第１ナビゲータデータに基づいて前記第２ナビゲータデータから得られる前記部位の位置に基づいて、前記被検体における撮影領域から磁気共鳴信号をイメージングデータとして得るイメージングシーケンスとが繰り返し実施され、前記イメージングデータがローデータとして取得された後、前記ローデータに基づいて画像を生成する画像生成方法であって、前記第１ナビゲータデータにおける位相プロファイルを、前記第１ナビゲータデータのそれぞれに対して第１の位相プロファイルとして生成し、前記第１位相プロファイルのそれぞれについてそれぞれの前記部位の位置を検出し、複数の当該部位の位置と、第１ナビゲータシーケンスを繰り返し実施した時間との関係を示す位置プロファイルを生成し、前記位置プロファイルにおける特定の位置を検出する第１ステップと、前記第２ナビゲータデータにおける位相プロファイルを前記第２ナビゲータデータのそれぞれに対して第２位相プロファイルとして生成し、前記特定の位置を含むように設定された基準範囲内において、前記第２位相プロファイルに基づいて、前記部位の位置を前記第２位相プロファイルのそれぞれに対して検出し、それぞれの位置データとして得る第２ステップと前記第２ステップにおいて得られた前記位置データに基づいて、前記イメージングデータをローデータとして取得する第３ステップとを有する。
【００２４】
好適には、前記第１ステップにおいては、前記第１ナビゲータデータの強度と前記ナビゲータ領域における位置との関係を示す強度プロファイルを生成する第４ステップと、前記部位の位置を前記第４ステップにおいて生成された前記強度プロファイルについて検出し、第１位置データとして得る第５ステップと、前記第５ステップにおいて得られた前記第１位置データに対応するデータを含むように第１基準範囲を前記強度プロファイルに対して設定する第６ステップと、前記第１ナビゲータデータの位相と前記ナビゲータ領域における位置との関係を示す第１位相プロファイルを生成する第７ステップと、前記第６ステップにおいて設定された前記第１基準範囲内において、前記部位の位置を前記第７ステップにおいて生成された前記第１位相プロファイルについて検出し、第２位置データとして得る第８ステップと、前記第４ステップから前記第８ステップを繰り返し実施することにより得られる複数の前記第２位置データと、前記第１ナビゲータシーケンスを繰り返し実施した時間との関係を示す第１位置プロファイルを生成する第９ステップと、前記第９ステップにおいて生成された前記第１位置プロファイルにおける特定の位置を検出する第１０ステップとを有し、前記第２ステップにおいては、前記第２ナビゲータデータの位相と前記ナビゲータ領域における位置との関係を示す第２位相プロファイルを生成する第１１ステップと、前記第１０ステップにおいて検出された前記部位における特定の位置を含むように第２基準範囲を設定する第１２ステップと、前記第１２ステップにおいて設定された前記第２基準範囲内において、前記部位の位置を前記第１１ステップにおいて生成された前記第２位相プロファイルについて検出し、第３位置データとして得る第１３ステップと、前記第１１ステップから前記第１３ステップを繰り返し実施することにより得られる複数の前記第３位置データと、前記第２ナビゲータシーケンスを繰り返し実施した時間との関係を示す第２位置プロファイルを生成する第１４ステップとを有する。
【００２５】
好適には、前記第１５ステップは、前記イメージングデータから前記部位の特定の位置を含むように第３基準範囲を設定するステップと、前記第３基準範囲内にある前記第２位置データに対応する時間に取得されたイメージングデータをローデータとして選択するステップとを含む。
【００２６】
好適には、前記第１５ステップは、前記イメージングデータから、前記部位の特定の位置を含むように第３基準範囲を設定するステップを含み、前記第２位置データが前記第３基準範囲内にある場合に、イメージングシーケンスを実施してイメージングデータを取得する。
【００２７】
好適には、前記第１０ステップにおいて、前記第１位置プロファイルにおける位置を一定の幅で分割したそれぞれの領域に含まれる前記位置のデータ数が最も多い領域を前記部位の特定の位置として検出する。
【００２８】
好適には、前記第１０ステップにおいて、前記第１位置プロファイルにおける位置の最小値を前記部位における特定の位置として検出する。
【００２９】
好適には、前記部位として横隔膜から前記第１ナビゲータデータ及び第２ナビゲータデータを得る。
【００３０】
好適には、前記第４ステップにおいて、前記第２ナビゲータデータを１次元フーリエ変換することにより前記強度プロファイルを生成し、前記第６ステップにおいて、前記第１ナビゲータデータを１次元フーリエ変換することにより前記第１位相プロファイルを生成し、前記第９ステップにおいて、前記第２ナビゲータデータを１次元フーリエ変換することにより前記第２位相プロファイルを生成する。
【００３１】
好適には、前記第５ステップにおいて、微分法により前記第１位置データを検出する。
【００３２】
好適には、前記第７ステップにおいて、微分法により前記２位置データを検出する。
【発明の効果】
【００３３】
本発明によれば、ナビゲータデータの安定した解析結果を得ることにより、画質を向上させることができる磁気イメージング装置、及び画質を向上させることができる画像生成方法を提供することができる。
【発明を実施するための最良の形態】
【００３４】
以下より、本発明に係る一実施形態について図面を参照して説明する。
【００３５】
（装置構成）
図１は、本発明に係る一実施形態におけるＲＦコイル部により構成される磁気共鳴イメージング装置の構成を示す構成図である。本装置は、本発明の実施形態の一例である。
【００３６】
図１に示すように、磁気共鳴イメージング装置１は、スキャン部２と、操作コンソール（ｃｏｎｓｏｌｅ）部３とを有している。ここで、スキャン部２は、静磁場マグネット（ｍａｇｎｅｔ）部１２と、勾配コイル（ｃｏｉｌ）部１３と、ＲＦコイル部１４と、クレードル（ｃｒａｄｌｅ）１５とを有する。そして、操作コンソール部３は、ＲＦ駆動部２２と、勾配駆動部２３と、データ収集部２４と、制御部３０と、記憶部３１と、操作部３２と、データ処理部３３と、表示部３４とを有する。
【００３７】
スキャン部２について説明する。
【００３８】
スキャン部２は、図１に示すように、被検体４０における撮影スライス領域が収容される静磁場空間１１を含んでいる。そして、スキャン部２は、操作コンソール部３からの制御信号に基づいて、その静磁場が形成される静磁場空間１１に収容した被検体４０の撮影領域にＲＦパルスを照射し、その撮影領域から磁気共鳴信号を取得するスキャンを実施する。
【００３９】
本実施形態において、スキャン部２は、プレスキャン（ｐｒｅｓｃａｎ）時には、被検体４０のナビゲータ領域ＮＡにおいて発生する磁気共鳴信号をナビゲータデータとして取得するナビゲータシーケンスＮＳを繰り返し実施する。また本スキャン時には、被検体４０のイメージング領域ＩＡにおいて発生する磁気共鳴信号をイメージングデータとして得るイメージングシーケンスＩＳと、被検体４０のナビゲータ領域ＮＡにおいて発生する磁気共鳴信号をナビゲータデータとして取得するナビゲータシーケンスＮＳとを繰り返し実施する。
【００４０】
スキャン部２の各構成要素について、順次、説明する。
【００４１】
静磁場マグネット部１２は、被検体４０が収容される静磁場空間１１に静磁場を形成するために設けられている。静磁場マグネット部１２は、水平磁場型であって、被検体４０が収容される静磁場空間１１において載置される被検体４０の体軸方向（ｚ方向）に沿うように、超伝導磁石（図示なし）が静磁場を形成する。なお、静磁場マグネット部１２は、水平磁場型の他に、垂直磁場型であってもよく、永久磁石により構成されていてもよい。
【００４２】
勾配コイル部１３は、ＲＦコイル部１４が受信する磁気共鳴信号に３次元の位置情報を持たせるために、静磁場空間１１に勾配磁場を形成する。勾配コイル部１３は、スライス選択勾配磁場、読み取り勾配磁場、位相エンコード勾配磁場の３種類の勾配磁場を形成するために勾配コイルを３系統有する。
【００４３】
ＲＦコイル部１４は、たとえば、被検体４０を囲むように配置される。ＲＦコイル部１４は、静磁場マグネット部１２によって静磁場が形成される静磁場空間１１内において、制御部３０からの制御信号に基づいて、電磁波であるＲＦパルスを被検体４０に送信して高周波磁場を形成する。これにより、被検体４０の撮影スライス領域におけるプロトンのスピンを励起する。そして、ＲＦコイル部１４は、その励起された被検体４０の撮影スライス領域におけるプロトンのスピンが元の磁化ベクトル（ｖｅｃｔｏｒ）へ戻る際に生ずる電磁波を、磁気共鳴信号として受信する。ＲＦコイル部１４は、同一のＲＦコイルによりＲＦパルスの送受信を行ってもよい。
【００４４】
本実施形態において、ＲＦコイル部１４は、ナビゲータシーケンスＮＳとイメージングシーケンスＩＳとにおいて、ＲＦパルスを送信する。
【００４５】
クレードル１５は、被検体４０を載置するテーブル（ｔａｂｌｅ）を有する。クレードル１５は、制御部３０からの制御信号に基づいて、静磁場空間１１の内部と外部との間でテーブルに載置された被検体４０を移動する。
【００４６】
操作コンソール部３について説明する。
【００４７】
操作コンソール部３は、スキャン部２が被検体４０についてスキャンを実施するように制御し、そのスキャン部２が実施したスキャンによって得られた磁気共鳴信号に基づいて、被検体４０の画像を生成すると共に、その生成した画像を表示する。
【００４８】
操作コンソール部３を構成する各部について、順次、説明する。
【００４９】
ＲＦ駆動部２２は、ＲＦコイル部１４を駆動させて静磁場空間１１内に高周波磁場を形成するために、ゲート（ｇａｔｅ）変調器（図示なし）とＲＦ電力増幅器（図示なし）とＲＦ発振器（図示なし）とを有する。ＲＦ駆動部２２は、制御部３０からの制御信号に基づいて、ＲＦ発振器からのＲＦ信号を、ゲート変調器を用いて所定のタイミング（ｔｉｍｉｎｇ）および所定の包絡線の信号に変調する。そして、ゲート変調器により変調されたＲＦ信号を、ＲＦ電力増幅器により増幅した後、ＲＦコイル部１４に出力する。
【００５０】
勾配駆動部２３は、制御部３０の制御信号に基づいて勾配コイル部１３を駆動させて、静磁場空間１１内に勾配磁場を発生させる。勾配駆動部２３は、勾配コイル部１３の３系統の勾配コイルに対応して３系統の駆動回路（図示なし）を有する。
【００５１】
データ収集部２４は、ＲＦコイル部１４が受信する磁気共鳴信号を収集するために、位相検波器（図示なし）とアナログ／デジタル変換器（図示なし）とを有する。データ収集部２４は、ＲＦコイル部１４からの磁気共鳴信号を、ＲＦ駆動部２２のＲＦ発振器の出力を参照信号として、位相検波器によって位相検波し、アナログ／デジタル変換器に出力する。そして、位相検波器により位相検波されたアナログ信号である磁気共鳴信号を、アナログ／デジタル変換器によってデジタル信号に変換して出力する。
【００５２】
本実施形態においては、データ収集部２４は、スキャン部２が実施するイメージングシーケンスによってイメージングデータとして得られた磁気共鳴信号及びナビゲータシーケンスによってナビゲータデータとして得られた磁気共鳴信号を、後述の記憶部３１、データ処理部３３へ出力する。
【００５３】
制御部３０は、コンピュータ（ｃｏｍｐｕｔｅｒ）と、コンピュータを用いて所定のスキャンに対応する動作を各部に実行させるプログラム（ｐｒｏｇｒａｍ）とを有する。そして、制御部３０は、後述する操作部３２に接続されており、操作部３２に入力された操作信号を処理し、クレードル１５とＲＦ駆動部２２と勾配駆動部２３とデータ収集部２４との各部に、制御信号を出力し制御を行う。また、制御部３０は、所望の画像を得るために、操作部３２からの操作信号に基づいてデータ処理部３３、表示部３４を制御する。
【００５４】
本実施形態においては、制御部３０は、ＲＦ駆動部２２と勾配駆動部２３とを制御して、スキャン部２にナビゲータシーケンスＮＳ及びイメージングシーケンスＩＳを実施させる。また、制御部３０は、ナビゲータシーケンスＮＳを実施して得られたナビゲータデータに基づいて、スキャン部２が実施するイメージングシーケンスＩＳの制御を実施する。
【００５５】
記憶部３１は、コンピュータとコンピュータに所定のデータ処理を実行させるプログラムとを有する。そして、記憶部３１は、データ収集部２４に収集されたデータ処理前のナビゲータデータ、画像生成処理前の磁気共鳴信号であるイメージングデータ、後述するデータ処理部３３でデータ処理されたナビゲータデータ、画像生成処理された画像データ等を記憶する。
【００５６】
操作部３２は、キーボード（ｋｅｙｂｏａｒｄ）やマウス（ｍｏｕｔｈ）などの操作デバイス（ｄｅｖｉｃｅ）により構成されている。操作部３２は、オペレータ（ｏｐｅｒａｔｏｒ）によって操作データ、撮像プロトコル（ｐｒｏｔｏｃｏｌ）などが入力され、またイメージングシーケンスＩＳを実施する領域、ナビゲータシーケンスＮＳを実施する領域の設定がされ、その操作データ、撮像プロトコル、設定領域に関するデータを制御部３０に出力する。
【００５７】
データ処理部３３は、コンピュータと、そのコンピュータを用いて所定のデータ処理を実行するプログラムを記憶するメモリとを有しており、制御部３０からの制御信号に基づいて、データ処理を実施する。
【００５８】
ここで、図２は、本発明に係る一実施形態におけるデータ処理部３３の構成を示すブロック（ｂｌｏｃｋ）図である。
【００５９】
図２に示すように、データ処理部３３は、強度プロファイル生成部３３１と、位相プロファイル生成部３３２と、位置検出部３３３と、位置プロファイル生成部３３４と、特定位置検出部３３５と、ローデータ（ｒａｗ  ｄａｔａ）取得部３３６と、画像生成部３３７とを有する。
【００６０】
データ処理部３３の各部について順次説明する。
【００６１】
強度プロファイル生成部３３１は、コンピュータとコンピュータに所定のデータ処理を実行させるプログラムを記憶するメモリとを有しており、プレスキャン時には、被検体４０のナビゲータ領域ＮＡについてのナビゲータシーケンスＮＳを複数回実施することによってナビゲータデータとして得られた磁気共鳴信号を、ローデータとして用いることによって、その被検体４０のナビゲータ領域ＮＡについて、複数の強度プロファイルを生成する。
また、本スキャン時には、例えば、被検体４０のイメージング領域ＩＡについてのイメージングシーケンスＩＳの実施前に実施されたナビゲータシーケンスＮＳによってナビゲータデータとして得られた磁気共鳴信号を、ローデータとして用いることによって、その被検体４０のナビゲータ領域ＮＡについての強度プロファイルを生成する。
【００６２】
すなわち、本実施形態においては、スキャン部２によるナビゲータシーケンスＮＳの複数回の実施において、ＲＦコイル部１４がナビゲータ領域ＮＡへＲＦパルスを送信し、その撮影領域において発生する磁気共鳴信号を、ＲＦコイル部１４が受信することによってデータ収集部２４に収集されたナビゲータデータを一次元フーリエ（Ｆｏｕｒｉｅｒ）変換し、一次元フーリエ変換したデータの強度ｍと位置Ｘとの関係をプロットすることにより複数の強度プロファイルを生成する。
【００６３】
位相プロファイル生成部３３２は、コンピュータとコンピュータに所定のデータ処理を実行させるプログラムを記憶するメモリとを有しており、プレスキャン時には、被検体４０のナビゲータ領域ＮＡについてのナビゲータシーケンスＮＳを複数回実施することによってナビゲータデータとして得られた磁気共鳴信号を、ローデータとして用いることによって、その被検体４０のナビゲータ領域ＮＡについて、複数の位相プロファイルを生成する。
また、本スキャン時には、例えば、被検体４０のイメージング領域ＩＡについてのイメージングシーケンスＩＳの実施前に実施されたナビゲータシーケンスＮＳによってナビゲータデータとして得られた磁気共鳴信号を、ローデータとして用いることによって、その被検体４０のナビゲータ領域ＮＡについての位相プロファイルを生成する。
【００６４】
すなわち、本実施形態においては、スキャン部２によるナビゲータシーケンスＮＳの複数回の実施において、ＲＦコイル部１４がナビゲータ領域ＮＡへＲＦパルスを送信し、その撮影領域において発生する磁気共鳴信号を、ＲＦコイル部１４が受信することによってデータ収集部２４に収集されたナビゲータデータを一次元フーリエ変換し、一次元フーリエ変換したデータの位相Ｐと位置Ｘpとの関係をプロットすることにより複数の位相プロファイルを生成する。
【００６５】
位置検出部３３３は、コンピュータとコンピュータに所定のデータ処理を実行させるプログラムを記憶するメモリとを有しており、制御部３０からの制御信号に基づいて、被検体４０における部位の位置を検出する。本実施形態において、位置検出部３３３は、強度プロファイル生成部３３１により１次元フーリエ変換が実施されたナビゲータデータに基づいて生成された複数の強度プロファイルそれぞれにおいて、被検体４０における部位の位置Ｘｍを検出する。検出方法としては、例えば、微分法、Ｄｕ法などが挙げられる。被検体４０における部位の位置Ｘｍとして、例えば、被検体４０における肺臓６０と肝臓６１の境界にある横隔膜６２の位置Ｘｍｄを検出する。
【００６６】
また、位置検出部３３３は、位相プロファイル生成部３３２により１次元フーリエ変換が実施されたナビゲータデータに基づいて生成された複数の位相プロファイルそれぞれにおいて、被検体４０における部位の位置Ｘｐを検出する。検出方法としては、例えば、微分法、Ｄｕ法などが挙げられる。被検体４０における部位の位置Ｘｐとして、例えば、被検体４０における肺臓６０と肝臓６１の境界にある横隔膜６２の位置Ｘｐｄを検出する。
【００６７】
位置プロファイル生成部３３４は、コンピュータとコンピュータに所定のデータ処理を実行させるプログラムを記憶するメモリとを有しており、位置検出部３３３により一定時間毎に検出された被検体４０における部位の位置Ｘpと時間との関係を示す位置プロファイルを生成する。
本実施形態において、位置プロファイル生成部３３４は、位置検出部３３３により検出された部位の位置Ｘpと時間ｔとの関係をプロットすることにより位置プロファイルを生成する。検出方法としては、例えば、微分法、Ｄｕ法などが挙げられる。被検体４０における部位の位置Ｘpとして、例えば、被検体４０における肺臓６０と肝臓６１の境界にある横隔膜６２の位置Ｘｐｄを検出する。
【００６８】
特定位置検出部３３５は、コンピュータとコンピュータに所定のデータ処理を実行させるプログラムを記憶するメモリとを有しており、制御部３０からの制御信号に基づいて、被検体４０の部位における特定の位置を検出する。本実施形態において、特定位置検出部３３５は、位置プロファイル生成部３３４により生成された位置プロファイルにおいて、被検体４０の部位における特定の位置を検出する。例えば、特定の位置として、息を吐き終わった時の肺臓６０と肝臓６１の境界にある横隔膜６２の位置Ｘｐｄｅを検出する。また、特定の位置として、息を吸った時の肺臓６０と肝臓６１の境界にある横隔膜６２の位置を検出してもよい。
【００６９】
息を吐き終わった時の横隔膜６２の位置を検出する方法として、例えば位置プロファイルにおける位置を一定の幅で分割し、分割したそれぞれの領域において、位置のデータ数の最も多い領域を、息を吐き終わった時の横隔膜６２の位置Ｘｐｄｅとして検出する。
また、位置プロファイルにおける横隔膜６２の位置Ｘｔｄの最小値を、息を吐き終わった時の横隔膜６２の位置Ｘｐｄｅとして検出する。
そして、検出された呼吸を吐き終わった時の横隔膜６２の位置Ｘｐｄｅを含むように許容範囲ＡＷを設定する。許容範囲ＡＷは、例えば、検出された呼吸を吐き終わった時の横隔膜６２の位置Ｘｐｄｅから±２ｍｍと設定する。
【００７０】
ローデータ取得部３３６は、コンピュータとコンピュータに所定のデータ処理を実行させるプログラムを記憶するメモリとを有しており、スキャン部２がイメージングシーケンスＩＳを実施することにより得られたイメージングデータを、位置プロファイル生成部３３４が生成した位置プロファイルに基づいて、ローデータとして取得するデータ処理を実施する。
【００７１】
ここでは、位置プロファイル生成部３３４が生成した位置プロファイルが、予め設定された許容範囲ＡＷ内にあるか否かをローデータ取得部３３６が判断し、許容範囲ＡＷ内にある位置プロファイルを生成したナビゲータデータに対応するイメージングデータを取得する。例えば、本スキャンにおいて、ナビゲータシーケンスＮＳを先に行い、続いてイメージングシーケンスＩＳを実施してナビゲータデータとイメージングデータとを取得する場合、ナビゲータシーケンスに続いて行われるイメージングシーケンスＩＳにより得られるイメージングデータをローデータとして取得する。
【００７２】
画像生成部３３７は、コンピュータとコンピュータに所定のデータ処理を実行させるプログラムを記憶するメモリとを有する。そして、画像生成部３３７は、ローデータ取得部３３６により取得されたローデータを用いることによって、その被検体４０の撮影領域についての画像を生成する。すなわち、本実施形態においては、スキャン部２によるイメージングシーケンスＩＳの実施において、ＲＦコイル部１４が撮影領域へＲＦパルスを送信し、その撮影領域において発生する磁気共鳴信号を、ＲＦコイル部１４が受信することによって収集したイメージングデータを位置プロファイルに基づいてローデータ取得部３３６がローデータとして取得し、この取得したローデータに基づいて、被検体４０のスライス画像を生成する。そして、生成されたスライス画像を表示部３４に出力する。
【００７３】
表示部３４は、ディスプレイ（ｄｉｓｐｌａｙ）などの表示デバイスにより構成されており、制御部３０からの制御信号に基づいて、表示画面に画像を表示する。表示部３４は、例えば、オペレータによって操作部３２に操作データが入力される入力項目についての画像を表示画面に表示する。また、表示部３４は、画像生成部３３７が生成する被検体４０のスライス画像を表示する。
【００７４】
また、本実施形態において、表示部３４は、強度プロファイル、位相プロファイル又は位置プロファイルのそれぞれを表示させる場合がある。
【００７５】
（動作）
以下より、本実施形態の磁気共鳴イメージング装置１を用いて、被検体４０を撮像する際の動作について説明する。
【００７６】
図３は、本発明に係る一実施形態において、被検体を撮像する際の動作を示すフロー（ｆｌｏｗ）図である。また、図４は、本発明に係る一実施形態において、被検体４０をスキャンする際のシーケンスを示すシーケンス図である。横軸が時間軸ｔである。また、図５は、本発明に係る一実施形態において、ナビゲータ領域ＮＡ及びイメージング領域ＩＡを示すコロナル画像を示す図である。図５におけるｚ方向は、後述する図９における横軸の位置Ｘの方向である。なお、ここでは、黒色領域は肺臓６０を示す。また、灰色領域は肝臓６１を示し、肺臓６０と肝臓６１の間に横隔膜６２が位置する。また、横隔膜６２にほぼ直交するｚ軸方向に長辺が配置された矩形領域は、ナビゲータシーケンスＮＳを実施するナビゲータ領域ＮＡである。また、コロナル画像における肝臓６１において、横隔膜６２にほぼ平行なｘ軸方向に平行となるように配置された領域は、イメージングシーケンスＩＳを実施するイメージング領域ＩＡである。図６は、本発明に係る一実施形態におけるナビゲータシーケンスを示すパルスシーケンスを示す図である。Ｇｓはスライス選択傾斜磁場、Ｇφは位相エンコーディング（ｅｎｃｏｄｉｎｇ）傾斜磁場、Ｇｆは周波数エンコーディング傾斜磁場を示し、ＲＦは高周波パルスを示す。なお、ここでは、縦軸が強度を示し、横軸が時間を示す。図７は、本発明に係る一実施形態におけるシリンドリカルグラジエントエコー型ナビゲータシーケンスであるパルスシーケンスを示す図である。ＲＦは高周波パルスを示す。ｘｇｒａｄはｘ軸方向に印加する傾斜磁場、ｙｇｒａｄはｙ軸方向に印加する傾斜磁場、ｚｇｒａｄはｚ軸方向に印加する傾斜磁場を示し、ＲＦは高周波パルスを示す。なお、ここでは、縦軸が強度を示し、横軸が時間を示す。
【００７７】
まず、図３に示すように、プレスキャンを実施する（ＳＴ１０）。
【００７８】
ここでは、被検体４０における部位の位置Ｘを検出する際に用いるナビゲータデータを取得するために、スキャン部２が被検体４０のナビゲータシーケンスＮＳを繰り返し実施する。
【００７９】
例えば、スキャン部２が、図４に示すようにプレスキャンとして、ナビゲータシーケンスＮＳを繰り返し実施する。ナビゲータシーケンスＮＳの実施が開始される時点ｔ１から、所定時間Ｄ１が経過した時点ｔ２までの間において実施される。そして、所定時間Ｄ２が経過した時点ｔ３から、再び所定時間Ｄ１が経過した時点ｔ４までの間、ナビゲータシーケンスＮＳが実施される。
【００８０】
具体的には、ナビゲータシーケンスＮＳを実施する前に、図５に示すように、コロナル画像５０を表示部３４が表示する。そして、表示部３４が表示するコロナル画像５０上にナビゲータシーケンスを実施する領域をナビゲータ領域ＮＡとして、例えば、オペレータが操作部３２により設定する。設定されるナビゲータ領域ＮＡはイメージングシーケンスＩＳを実施するイメージング領域ＩＡと重なっていてもよい。図５に示すように、本実施形態の場合、ナビゲータ領域ＮＡは、例えば肺臓６０と肝臓６１との間に位置する横隔膜６２と交差し、横隔膜６２とほぼ垂直であるｚ軸方向に平行な長辺を有する矩形領域として設定する。なお、被検体４０の断面としてアキシャル断面、コロナル断面またはサジタル断面のいずれを用いても良い。
【００８１】
そして、ナビゲータ領域ＮＡにおいて、図６に示すように、フリップアングル（ｆｌｉｐ  ａｎｇｌｅ）９０°の高周波パルスＲＦ１と共に第１のスライス選択傾斜磁場Ｇｓ１を印加することによって、被検体４０において横隔膜６２を含む第１のスライス面を選択的に９０°励起する。その後、第２のスライス選択傾斜磁場Ｇｓ２を被検体４０に印加することによって位相を戻した後、フリップアングル１８０°の高周波パルスＲＦ２と共に第３のスライス選択傾斜磁場Ｇｓ３と第１の位相エンコーディング傾斜磁場Ｇφ１とを印加することによって、横隔膜６２を含む領域において第１のスライス面と交差する第２のスライス面を１８０°励起する。
そして、周波数エンコードするように第１と第２の周波数エンコーディング傾斜磁場Ｇｆ１，Ｇｆ２を印加し、被検体４０において第１のスライス面と第２のスライス面とが交差する領域からの磁気共鳴信号Ｅを、スキャン部２がナビゲータデータとして取得する。
【００８２】
また、ナビゲータ領域ＮＡにおいて、図７に示すように、例えば、ＲＦパルスの送信と同時に、ｙ方向およびｚ方向に極性が交互に連続的に変化するように傾斜磁場を印加し線状に被検体４０のスライスを選択し、そしてｘ方向に読み取り傾斜磁場を印加するシリンドリカルグラジエントエコー型ナビゲータシーケンスを実施してもよい。
【００８３】
ここで、本実施形態において図５に示すように、ナビゲータデータは、横隔膜６２とほぼ垂直な方向（ｚ軸方向）の位置情報を必要とし、横隔膜６２とほぼ平行な方向（ｘ軸方向）の位置情報は必要としない。従って、ナビゲータシーケンスＮＳは、ｘ軸方向の空間情報を取得する位相エンコード傾斜磁場を印加しないナビゲータデータを取得するシーケンスである。
【００８４】
つぎに、図３に示すように、プレスキャンにより得られたナビゲータデータのデータ処理を実施する（ＳＴ２０）。
【００８５】
ここでは、ステップＳＴ１０においてナビゲータシーケンスＮＳを実施することにより取得された複数のナビゲータデータに対して、一次元フーリエ変換を実施する。その後、一次元フーリエ変換を実施された複数のナビゲータデータそれぞれにおける強度プロファイル及び位相プロファイルを生成し、強度プロファイル及び位相プロファイルにおいて、体動する部位の位置を検出し、位置プロファイルを生成し、位置プロファイルにおいて部位の特定位置を検出する。
【００８６】
図８は、本発明に係る一実施形態において、ナビゲータデータから被検体における部位の特定の位置を検出する際の動作を示すフロー図である。
【００８７】
図８に示すように、まずナビゲータデータの強度プロファイルを生成する（ＳＴ２０１）。
【００８８】
図９は、本発明に係る一実施形態において、ナビゲータデータを一次元フーリエ変換することにより得られる強度プロファイルと位相プロファイルとを示す図である。図９（ａ）は、強度をプロットした強度プロファイルを示し、図９（ｂ）は、位相をプロットした位相プロファイルを示す。ここで、図９（ａ）、（ｂ）の横軸は、位置Ｘを表し、位置Ｘは図５に示すナビゲータ領域ＮＡにおけるｚ軸方向の位置である。また、図９（ａ）の縦軸は信号強度を示し、図９（ｂ）は位相であり、角度をラジアンで示す。そして、強度ｍの値が大きい領域は図５における肝臓６１の位相を示し、強度ｍの値が小さい領域は図５における肺臓６０の位相を示す。また、位相Ｐの値が大きい領域は図５における肺臓６０の位相を示し、位相Ｐの値が小さい領域は図５における肝臓６１の位相を示す。以下の図においても同様である。なお、位相の値の大小は肝臓と肺臓で逆になる場合もある。
【００８９】
ここでは、ステップＳＴ１０において取得されたナビゲータデータに対して、一次元フーリエ変換処理を実施し、図９（ａ）に示すように、ナビゲータデータの強度ｍと被検体４０におけるナビゲータ領域ＮＡの位置との関係を示す強度プロファイルを強度プロファイル生成部３３１が生成する。
【００９０】
具体的には、例えば所定時間Ｄ１におけるナビゲータデータに対して、一次元フーリエ変換処理を実施し、縦軸をナビゲータデータの強度ｍ、横軸を被検体４０におけるナビゲータ領域ＮＡの位置とし、ナビゲータ領域における肝臓６１側の端部を位置Ｘ＝０として、ナビゲータデータの強度ｍと位置Ｘとの関係をプロットし、強度プロファイルを強度プロファイル生成部３３１が生成する。強度プロファイルは、表示部３４に表示させても良いが、表示させないほうが望ましい。
【００９１】
つぎに、図８に示すように、強度プロファイルにおいて、体動する部位の位置を検出する（ＳＴ２０２）。
【００９２】
ここでは、ステップＳＴ２０１おいて生成された強度プロファイルにおいて、被検体４０における体動する部位の位置を位置検出部３３３が検出する。
【００９３】
具体的には、被検体４０における体動する部位として、例えば肝臓６１と肺臓６０との境界にある横隔膜６２である場合、強度プロファイルにおける横隔膜６２の位置Ｘｍｄを位置検出部３３３が検出する。横隔膜６２の位置を検出する方法としては、例えば、微分法又はＤｕ法により強度プロファイルにおける横隔膜６２の位置Ｘｍｄを検出する。図９に強度プロファイルにおける横隔膜６２の位置Ｘｍｄを示す。
【００９４】
つぎに、図８に示すように、ナビゲータデータの位相プロファイルを生成する（ＳＴ２０３）。
【００９５】
ここでは、ステップＳＴ１０において取得されたナビゲータデータに対して、一次元フーリエ変換処理を実施し、図９（ｂ）に示すように、ナビゲータデータの位相Ｐと被検体４０におけるナビゲータ領域ＮＡの位置との関係を示す位相プロファイルを位相プロファイル生成部３３２が生成する。
【００９６】
具体的には、例えば所定時間Ｄ１におけるナビゲータデータに対して、一次元フーリエ変換処理を実施し、縦軸をナビゲータデータの位相Ｐ、横軸を被検体４０におけるナビゲータ領域ＮＡの位置とし、ナビゲータ領域における肝臓６１側の端部を位置Ｘｐ＝０として、ナビゲータデータの位相Ｐと位置Ｘｐとの関係をプロットし、位相プロファイルを位相プロファイル生成部３３２が生成する。位相プロファイルは、表示部３４に表示させても良いが、表示させないほうが望ましい。
【００９７】
つぎに、図８に示すように、位相プロファイルにおいて、体動する部位の位置を検出する（ＳＴ２０４）。
【００９８】
ここでは、ステップＳＴ２０３おいて生成された位相プロファイルにおいて、被検体４０における体動する部位の位置を位置検出部３３３が検出する。
【００９９】
具体的には、被検体４０における体動する部位として、例えば肝臓６１と肺臓６０との境界にある横隔膜６２である場合、位相プロファイルにおける横隔膜６２の位置Ｘｐｄを位置検出部３３３が検出する。横隔膜６２の位置を検出する方法としては、例えば、微分法又はＤｕ法により位相プロファイルにおける横隔膜６２の位置Ｘｐｄを検出する。ここで、位相プロファイルにおいて微分法又はＤｕ法により横隔膜６２の位置Ｘｐｄを検出する範囲は、図９に示すように、ステップＳＴ２０２において検出された強度プロファイルにおける横隔膜６２の位置Ｘｍｄを基準に基準範囲Ｒ１が設定される。そして、基準範囲Ｒ１内にある位相プロファイルにおいて微分法又はＤｕ法により横隔膜６２の位置Ｘｐｄを検出する。例えば、強度プロファイルにおける横隔膜６２の位置Ｘｍｄを中心に図９のｘ軸方向に±１０ピクセルのラインの間が検出する基準範囲Ｒ１として設定される。同じ時間に取得したナビゲータデータから算出された強度プロファイル及び位相プロファイルにおけるそれぞれの横隔膜６２の位置ＸｍｄとＸｐｄは近接しており、強度プロファイルにおける横隔膜６２の位置Ｘｍｄを基に、位相プロファイルにおける横隔膜６２の位置Ｘｐｄを求める。
これは、図９（ｂ）に示すように、位相プロファイルに、血管などの影響により横隔膜６２の位置でない位置にピークが発生することがあり、このピークを位相プロファイルにおける横隔膜６２の位置Ｘｐｄと誤認してしまうことがある。したがって、強度プロファイルにおける横隔膜６２の位置Ｘｍｄに基づいて、位相プロファイルにおける横隔膜６２の位置Ｘｐｄを求めることにより、この誤認を防止することができる。
【０１００】
つぎに、図８に示すように、位置プロファイルを生成する（ＳＴ２０５）。
【０１０１】
図１０は、本発明に係る一実施形態において、被検体のナビゲータ領域における部位の位置と、時間との関係を表す位置プロファイルを示す図である。
【０１０２】
ここでは、ステップＳＴ２０１からステップＳＴ２０４までを繰り返し実施することにより検出される位相プロファイルにおける横隔膜６２の複数の位置Ｘｐｄを基に、位置プロファイルを位置プロファイル生成部３３４が生成する。
【０１０３】
具体的には、図１０に示すように所定時間Ｄ１においてスキャン部２により実施されたプレスキャンにより取得されたナビゲータデータに対して、上記のステップＳＴ２０１からステップＳＴ２０４を実施することにより検出された位相プロファイルにおける被検体４０の体動する部位の位置Ｘｐ１、所定時間Ｄ３においてスキャン部２により実施されたプレスキャンにより取得されたナビゲータデータに対して、上記のステップＳＴ２０１からステップＳＴ２０４を実施することにより検出される位相プロファイルにおける被検体４０の体動する部位の位置Ｘｐ３、所定時間Ｄｎにおいてスキャン部２により実施されたプレスキャンにより取得されたナビゲータデータに対して、上記のステップＳＴ２０１からステップＳＴ２０４を実施することにより検出される位相プロファイルにおける被検体４０の体動する部位の位置Ｘｐｎそれぞれを、縦軸を部位の位置Ｘｐ、横軸をナビゲータデータを取得した時間として、プロットした位置プロファイルを位置プロファイル生成部３３４が生成する。位置プロファイルは、表示部３４に表示させるのが望ましい。
【０１０４】
つぎに、図８に示すように、位置プロファイルにおいて特定の位置にある部位を検出する（ＳＴ２０６）。
【０１０５】
図１１は、図１０に示す位置プロファイルの拡大図である。
【０１０６】
ここでは、ステップＳＴ２０５において生成された位置プロファイルにおいて、被検体４０における特定の位置にある部位を特定位置検出部３３５が検出する。ここで、被検体４０における特定の位置とは、イメージング領域ＩＡにおけるスライス画像を生成したいときの被検体４０における部位の位置である。
【０１０７】
具体的には、例えば、被検体４０の部位が横隔膜である場合、横隔膜６２の被検体４０における特定の位置は、被検体４０が息を吐き終わった時の横隔膜６２の位置であり、位置プロファイルにおいて、被検体４０が息を吐き終わった時の横隔膜６２の位置Ｘｐｄｅを特定位置検出部３３５が検出する。
【０１０８】
特定位置検出部３３５が被検体４０の息を吐き終わった時の横隔膜６２の位置Ｘｐｄｅを検出する方法は、図１１に示すように、例えば、位置プロファイルにおける位置を一定の幅で分割し、分割したそれぞれの領域において、位置のデータ数の最も多い領域を、息を吐き終わった時の横隔膜６２の位置として検出する。例えば、図１１の場合、分割領域ＰＡ１〜ＰＡ７のうち、分割領域ＰＡ３内にある位置のデータ数が最も多いため、分割領域ＰＡ３を息を吐き終わった時の横隔膜６２の位置として検出する。
また、横隔膜６２の位置の最小値を検出し、その位置を息を吐き終わった時の横隔膜６２の位置Ｘｐｄｅとしてもよい。
【０１０９】
つぎに、図８に示すように、本スキャンにより取得されたイメージングデータをローデータとして取得するときの許容範囲を算出する（ＳＴ２０７）。
【０１１０】
ここでは、ステップ２０６において検出された特定の位置に基づいて、本スキャンにより取得されたイメージングデータをローデータ取得部３３６がローデータとして取得するときの基準となる許容範囲ＡＷを算出する。
【０１１１】
具体的には、図１０に示すように、例えば、ステップ２０６において検出された被検体４０における部位の特定の位置から±２ｍｍの幅を許容範囲ＡＷとして算出する。
例えば、部位が横隔膜６２の場合、ステップＳＴ２０６により部位の特定の位置として検出された、息を吐き終わった時の横隔膜６２の位置Ｘｐｄｅから肝臓６１側、肺臓６０側それぞれに２ｍｍのライン（合計４ｍｍ）を許容範囲ＡＷとして算出する。
【０１１２】
つぎに、図３に示すように、本スキャンを実施する（ＳＴ３０）。
【０１１３】
ここでは、スキャン部２が被検体４０のナビゲータ領域ＮＡにおいてナビゲータシーケンスＮＳを実施し、イメージング領域ＩＡにおいてイメージングシーケンスＩＳを交互に実施する。
【０１１４】
具体的には、例えば、スキャン部２が、図４に示すように本スキャンとして、ナビゲータシーケンスＮＳが開始される時点ｔ１１から、所定時間Ｄ１１が経過した時点ｔ１２までの間において実施される。そして、所定時間Ｄ１２が経過した時点ｔ１３から、所定時間Ｄ１３が経過した時点ｔ１４までの間、イメージングシーケンスＩＳが実施される。
また、イメージングシーケンスＩＳを先に実施し、その後ナビゲータシーケンスＮＳを実施しても良い。
【０１１５】
ナビゲータシーケンスＮＳは、プレスキャン時のナビゲータ領域ＮＡと同一のナビゲータ領域ＮＡにおいて、図６に示すように、フリップアングル（ｆｌｉｐ  ａｎｇｌｅ）９０°の高周波パルスＲＦ１と共に第１のスライス選択傾斜磁場Ｇｓ１を印加することによって、被検体４０において横隔膜６２を含む第１のスライス面を選択的に９０°励起する。その後、第２のスライス選択傾斜磁場Ｇｓ２を被検体４０に印加することによって位相を戻した後、フリップアングル１８０°の高周波パルスＲＦ２と共に第３のスライス選択傾斜磁場Ｇｓ３と第１の位相エンコーディング傾斜磁場Ｇφ１とを印加することによって、横隔膜６２を含む領域において第１のスライス面と交差する第２のスライス面を１８０°励起する。
そして、周波数エンコードするように第１と第２と周波数エンコーディング傾斜磁場Ｇｆ１，Ｇｆ２を印加し、被検体４０において第１のスライス面と第２のスライス面とが交差する領域からの磁気共鳴信号Ｅを、スキャン部２がナビゲータデータとして取得する。
【０１１６】
また、ナビゲータ領域ＮＡにおいて、図７に示すように、例えば、ＲＦパルスの送信と同時に、ｙ方向およびｚ方向に極性が交互に連続的に変化するように傾斜磁場を印加し線状に被検体４０のスライスを選択し、そしてｘ方向に読み取り傾斜磁場を印加するシリンドリカルグラジエントエコー型ナビゲータシーケンスを実施してもよい。
【０１１７】
ここで、本実施形態において図５に示すように、ナビゲータデータは、横隔膜６２とほぼ垂直な方向（ｚ軸方向）の位置情報を必要とし、横隔膜６２とほぼ平行な方向（ｘ軸方向）の位置情報は必要としない。従って、ナビゲータシーケンスＮＳは、ｘ軸方向の空間情報を取得する位相エンコード傾斜磁場を印加しないナビゲータデータを取得するシーケンスである。
【０１１８】
イメージングシーケンスＩＳは、スピンエコー（ＳＥ）法、グラジエントエコー（ＧＲＥ）法などのパルスシーケンスを用いることができる。
【０１１９】
つぎに、図３に示すように、本スキャンにより得られたデータの処理を実施する（ＳＴ４０）
【０１２０】
ここでは、ステップＳＴ３０においてナビゲータシーケンスＮＳを実施することにより取得した複数のナビゲータデータに対して、一次元フーリエ変換を実施する。その後、一次元フーリエ変換を実施された複数のナビゲータデータそれぞれおける位相プロファイルを生成し、位相プロファイルにおいて体動する部位の位置を検出して位置プロファイルを生成し、位置プロファイルに基づいてイメージングデータをローデータとして取得する。
【０１２１】
図１２は、本発明に係る一実施形態において、本スキャンにより得られたデータから被検体におけるイメージングデータをローデータとして取得する際の動作を示すフロー図である。また、図１３は、本発明に係る一実施形態において、ナビゲータデータを一次元フーリエ変換することにより得られる位相プロファイルを示す図である。横軸は位置を示し、縦軸は位相であり、角度をラジアンで示す。
【０１２２】
図１２に示すように、まずナビゲータデータの位相プロファイルを生成する（ＳＴ４０１）。
【０１２３】
ここでは、ステップＳＴ３０において取得されたナビゲータデータに対して、一次元フーリエ変換処理を実施し、図１３に示すように、ナビゲータデータの位相Ｐと被検体４０におけるナビゲータ領域ＮＡの位置Ｘとの関係を示す位相プロファイルを位相プロファイル生成部３３２が生成する。
【０１２４】
具体的には、所定時間Ｄ１１におけるナビゲータデータに対して、一次元フーリエ変換処理を実施し、縦軸をナビゲータデータの位相Ｐ、横軸を被検体４０におけるナビゲータ領域ＮＡの位置とし、ナビゲータ領域における肝臓６１側の端部を位置Ｘｐ＝０として、ナビゲータデータの位相Ｐと位置Ｘｐとの関係をプロットし、位相プロファイルを位相プロファイル生成部３３２が生成する。位相プロファイルは、表示部３４に表示させても良いが、表示させないほうが望ましい。
【０１２５】
つぎに、図１２に示すように、位相プロファイルにおいて、体動する部位の位置を検出する（ＳＴ４０２）。
【０１２６】
ここでは、ステップＳＴ４０１おいて生成された位相プロファイルにおいて被検体４０における体動する部位の位置を位置プロファイル生成部３３４が検出する。
【０１２７】
具体的には、被検体４０における体動する部位として、例えば肝臓６１と肺臓６０との境界にある横隔膜６２である場合、位相プロファイルにおける横隔膜６２の位置Ｘｐｄ１１を位置プロファイル生成部３３４が検出する。横隔膜６２の位置を検出する方法としては、例えば、微分法又はＤｕ法により位相プロファイルにおける横隔膜６２の位置Ｘｐｄ１１を検出する。
ここで、位相プロファイルにおいて微分法又はＤｕ法により横隔膜６２の位置Ｘｐｄ１１を検出する範囲は、図１０に示すように、ステップＳＴ２０６において検出された息を吐き終わった時の横隔膜６２の位置Ｘｐｄｅ１１を基準に基準範囲Ｒ２を設定し、図１３に示す位相プロファイルにおいて微分法又はＤｕ法により、基準範囲Ｒ２内にある横隔膜６２の位置Ｘｐｄを検出する。例えば、特定位置検出部３３５が検出する特定の位置である息を吐き終わった時の横隔膜６２の位置Ｘｐｄｅから肺臓６０側に１０ピクセル、肝臓６１側に４０ピクセルのラインを検出する基準範囲Ｒ２として設定する。
【０１２８】
つぎに、図１２に示すように、位置プロファイルを生成する（ＳＴ４０３）。
【０１２９】
図１４は、本発明に係る一実施形態において、被検体のナビゲータ領域における部位の位置と、時間との関係を表す位置プロファイルを示す図である。
【０１３０】
ここでは、ステップＳＴ４０１とステップＳＴ４０２を繰り返し実施することにより検出される位相プロファイルにおける横隔膜６２の複数の位置Ｘｐｄ１１を基に、位置プロファイルを位置プロファイル生成部３３４が生成する。
【０１３１】
具体的には、図１４に示すように、所定時間Ｄ１１においてスキャン部２により実施された本キャンにより取得されたナビゲータデータに対して、上記のステップＳＴ４０１とステップＳＴ４０２を実施することにより検出された位相プロファイルにおける被検体４０の体動する部位の位置Ｘｐ１１、所定時間Ｄ１５においてスキャン部２により実施されたプレスキャンにより取得されたナビゲータデータに対して、上記のステップＳＴ４０１とステップＳＴ４０２を実施することにより検出される位相プロファイルにおける被検体４０の体動する部位の位置Ｘｐ１５、所定時間Ｄｎにおいてスキャン部２により実施されたプレスキャンにより取得されたナビゲータデータに対して、上記のステップＳＴ２０１とステップＳＴ４０２を実施することにより検出される位相プロファイルにおける被検体４０の体動する部位の位置Ｘｐｎそれぞれを、縦軸を部位の位置Ｘｐ、横軸をナビゲータデータを取得した時間として、プロットした位置プロファイルを位置プロファイル生成部３３４が生成する。位置プロファイルは、表示部３４に表示させるのが望ましい。
【０１３２】
つぎに、図１２に示すように、イメージングデータをローデータとして取得する（ＳＴ４０４）。
【０１３３】
ここでは、ステップＳＴ２０７において算出された許容範囲ＡＷ内にステップＳＴ４０３において生成された位置プロファイルがあるか否かを判断し、許容範囲ＡＷ内にある位置プロファイルの元となるナビゲータデータに対応するイメージングデータをローデータ取得部３３６が取得する。
【０１３４】
具体的には、図１４に示すように、ステップＳＴ２０７において算出された許容範囲ＡＷ内にステップＳＴ４０３において生成された位置プロファイルがあるか否かを判断する。そして、許容範囲ＡＷ内にある位置プロファイルの時間ＤＡＷに実施されたイメージングシーケンスＩＳにより取得されたイメージングデータをローデータとして取得する。
【０１３５】
つぎに、図３に示すように、スライス画像を生成する（ＳＴ５０）。
【０１３６】
ここでは、ステップＳＴ４０４において取得されたイメージングデータを用いて、画像生成部３３７が被検体４０のスライス画像を生成する。例えば、画像生成部３３７は被検体４０における肝臓６１のスライス画像を生成する。そして、画像生成部３３７は、生成したスライス画像を表示部３４に出力する。
【０１３７】
以上のように、本発明の一実施形態は、ナビゲータ領域ＮＡを設定し、設定したナビゲータ領域ＮＡにおいてプレスキャンとしてナビゲータシーケンスＮＳを実施する。そして、取得したナビゲータデータに対して、１次元フーリエ変換を実施し、ナビゲータデータの強度をプロットした強度プロファイルと位相をプロットした位相プロファイルを生成する。そして、強度プロファイルにおいて、体動する部位の位置を検出し、検出された位置を基に位相プロファイルにおいて、体動する部位の位置を検出する。そして、時間毎に検出された位相プロファイルにおける体動する部位の位置に基づいて、部位の位置と時間との関係を示す位置プロファイルを生成する。そして、位置プロファイルにおいて特定の位置にある体動する部位の位置を検出する。つぎに、本スキャンとしてナビゲータシーケンスＮＳとイメージングシーケンスＩＳとを実施する。そして、取得したナビゲータデータに対して、１次元フーリエ変換を実施し、ナビゲータデータの位相をプロットした位相プロファイルを生成する。そして、プレスキャンにより得られたナビゲータデータに基づいて検出された特定の位置にある体動する部位の位置を基に位相プロファイルにおいて、体動する部位の位置を検出する。そして、時間毎に検出された位相プロファイルにおける体動する部位の位置に基づいて、部位の位置と時間との関係を示す位置プロファイルを生成する。そして、位置プロファイル及び検出された特定の位置を基に、イメージングデータをローデータとして取得する。そして、取得されたローデータを基にスライス画像を生成する。
【０１３８】
このように、ナビゲータシーケンスＮＳを実施することにより得られるナビゲータデータ一次元フーリエ変換処理を実施することにより得られる強度プロファイルと位相プロファイルとを用いて、被検体における部位の特定の位置を算出することにより、正確に特定の位置を算出することができる。そのため、部位の位置を正確に検出することができるため、生成されたスライス画像において体動アーチファクトの発生を防止することができ、画像品質の良いスライス画像を得ることができる。
【０１３９】
なお、本発明の実施に際しては、上記した実施形態に限定されるものではなく、種々の変形形態を採用することができる。
【０１４０】
本発明の実施形態において、イメージングデータをローデータとして取得する方法として、本スキャンにおいて、ナビゲータシーケンスＮＳとイメージングシーケンスＩＳとを実施し、ナビゲータデータとイメージングデータとを取得した後、ナビゲータデータに対してデータ処理をした結果に基づいて、ローデータ取得部３３６がイメージングデータからローデータを取得しているが、これには限定されず、例えば、ナビゲータデータに対してデータ処理をした結果に基づいて、スキャン部２がイメージングシーケンスＩＳを実施をするか否かを制御部３０が判断してもよい。ナビゲータデータに対してデータ処理をした結果に基づいて、イメージングシーケンスＩＳを実施をするか否かを判断することにより、被検体４０について望ましいタイミングで撮像を開始することができる。
また、本発明の実施形態において、本スキャンにおけるナビゲータシーケンスＮＳが実施され、その後イメージングシーケンスＩＳが実施されているが、これには限定されず、本スキャンにおいて、イメージングシーケンスＩＳが実施され、その後ナビゲータシーケンスＮＳが実施されても良い。
また、本発明の実施形態において、プレスキャンにおけるナビゲータシーケンスＮＳが実施され、その後プレスキャンにおけるナビゲータシーケンスＮＳが実施されることにより取得されたナビゲータデータに対してデータ処理が実施され、その後本スキャンにおけるナビゲータシーケンスＮＳ及びイメージングシーケンスＩＳが実施され、その後本スキャンにおけるナビゲータシーケンスＮＳが実施することにより取得されたナビゲータデータに対してデータ処理が実施されているが、これには限定されず、プレスキャンにおけるナビゲータシーケンスＮＳの実施後に、プレスキャンにおけるナビゲータシーケンスＮＳが実施されることにより取得されたナビゲータデータに対してデータ処理が実施され、また本スキャンにおけるナビゲータシーケンスＮＳ及びイメージングシーケンスＩＳの実施後に、本スキャンにおけるナビゲータシーケンスＮＳが実施されることにより取得されたナビゲータデータに対してデータ処理が実施され、また、プレスキャンにおけるナビゲータシーケンスＮＳが実施されることにより取得されたナビゲータデータに対してデータ処理が実施された後に、本スキャンにおけるナビゲータシーケンスＮＳが実施されることにより取得されたナビゲータデータに対してデータ処理が実施されれば良い。したがって、例えば、プレスキャンにおけるナビゲータシーケンスＮＳが実施され、その後本スキャンにおけるナビゲータシーケンスＮＳ及びイメージングシーケンスＩＳが実施され、その後プレスキャンにおけるナビゲータシーケンスＮＳが実施されることにより取得されたナビゲータデータに対してデータ処理が実施され、その後本スキャンにおけるナビゲータシーケンスＮＳが実施することにより取得されたナビゲータデータに対してデータ処理が実施されても良い。
また、本発明の実施形態において、強度プロファイルにおける横隔膜６２の位置Ｘｍｄから±１０ピクセルのラインの間を検出する基準範囲Ｒ１として設定し、特定位置検出部３３５が検出する特定の位置である息を吐き終わった時の横隔膜６２の位置Ｘｐｄｅから肺臓６０側に１０ピクセル、肝臓６１側に４０ピクセルのラインの間を検出する基準範囲Ｒ２として設定し、検出された呼吸をＸｐｄｅの横隔膜６２の位置から±２ｍｍを許容範囲ＡＷと設定しているが、これには限定されない。
また、被検体４０の断面としてアキシャル断面、コロナル断面またはサジタル断面のいずれを用いても良い。
【０１４１】
なお、本実施形態における強度プロファイル生成部３３１は、本発明の強度プロファイル生成部に相当する。また、本実施形態における位相プロファイル生成部３３２は、本発明の第１位相プロファイル生成部又は第２位相プロファイル生成部に相当する。また、本実施形態における位置検出部３３３は、本発明の第１位置検出部、第２位置検出部、第１基準範囲設定部又は第２基準範囲設定部に相当する。また、本実施形態における位置プロファイル生成部３３４は、本発明の第１位置プロファイル生成部又は第２位置プロファイル生成部に相当する。
【図面の簡単な説明】
【０１４２】
【図１】図１は、本発明に係る一実施形態のＲＦコイル部により構成される磁気共鳴イメージング装置の構成を示す構成図である。
【図２】図２は、本発明に係る一実施形態におけるデータ処理部の構成を示すブロック図である。
【図３】図３は、本発明に係る一実施形態において、被検体を撮像する際の動作を示すフロー図である。
【図４】図４は、本発明に係る一実施形態において、被検体をスキャンする際のシーケンスを示すシーケンス図である。
【図５】図５は、本発明に係る一実施形態において、ナビゲータ領域ＮＡ及びイメージング領域ＩＡを示すコロナル画像を示す図である。
【図６】図６は、本発明に係る一実施形態におけるナビゲータシーケンスを示すパルスシーケンスを示す図である。
【図７】図７は、本発明に係る一実施形態におけるシリンドリカルナビゲータシーケンスを示すパルスシーケンスを示す図である。
【図８】図８は、本発明に係る一実施形態において、ナビゲータデータから被検体における部位の特定の位置を検出する際の動作を示すフロー図である。
【図９】図９は、本発明に係る一実施形態において、ナビゲータデータを一次元フーリエ変換することにより得られる強度プロファイルと位相プロファイルとを示す図である。図９（ａ）は、強度をプロットした強度プロファイルを示し、図９（ｂ）は、位相をプロットした位相プロファイルを示す。
【図１０】。  図１０は、本発明に係る一実施形態において、被検体のナビゲータ領域における部位の位置と、時間との関係を表す位置プロファイルを示す図である。
【図１１】図１１は、図１０に示す位置プロファイルの拡大図である。
【図１２】図１２は、本発明に係る一実施形態において、本スキャンにより得られたデータから被検体におけるイメージングデータをローデータとして取得する際の動作を示すフロー図である。
【図１３】図１３は、本発明に係る一実施形態において、ナビゲータデータを一次元フーリエ変換することにより得られる位相プロファイルを示す図である。
【図１４】図１４は、本発明に係る一実施形態において、被検体のナビゲータ領域における部位の位置と、時間との関係を表す位置プロファイルを示す図である。
【図１５】図１５は、従来技術を説明するためのナビゲータ領域ＮＡ及びイメージング領域ＩＡを示すコロナル画像を示す図である。
【図１６】図１６は、従来技術を説明するための信号強度プロファイルを示す図である。
【符号の説明】
【０１４３】
１：磁気共鳴イメージング装置、２:スキャン部、３：操作コンソール部、１１：静磁場空間、１２：静磁場マグネット部、１３：勾配コイル部、１４：ＲＦコイル部、１５：クレードル、２２：ＲＦ駆動部、２３：勾配駆動部、２４：データ収集部、３０：制御部、３１：記憶部、３２：操作部、３３：データ処理部、３４：表示部、４０：被検体、６０：肺臓、６１：肝臓、６２：横隔膜、３３１：強度プロファイル生成部、３３２：位置検出部、３３３：位相プロファイル生成部、３３４：位置プロファイル生成部、３３５：特定位置検出部、３３６：ローデータ取得部、３３７：画像生成部、ＮＡ：ナビゲータ領域、ＩＡ：イメージング領域
【図１】
2009254392.tif 000003
【図２】
2009254392.tif 000004
【図３】
2009254392.tif 000005
【図４】
2009254392.tif 000006
【図６】
2009254392.tif 000007
【図７】
2009254392.tif 000008
【図８】
2009254392.tif 000009
【図９】
2009254392.tif 000010
【図１０】
2009254392.tif 000011
【図１１】
2009254392.tif 000012
【図１２】
2009254392.tif 000013
【図１３】
2009254392.tif 000014
【図１４】
2009254392.tif 000015
【図１６】
2009254392.tif 000016
【図５】
2009254392.tif 000017
【図１５】
2009254392.tif 000018